(57)【特許請求の範囲】
【請求項１】
建築物の外壁に、前記建築物の窓部を覆うように取り付けられ、前記窓部から前記建築物の室内へ光を導入する光ダクトであって、
前記窓部よりも鉛直方向上側に位置し、前記建築物の外部から太陽光を採光する採光部と、
前記外壁に取り付けられる取付部と、
前記外壁の外側に配置され、前記外壁との間に、その間隙距離が鉛直方向上側に向かって連続的または段階的に漸増する空間を形成する壁部と、
前記壁部の内面に設けられた第１の反射部と、
当該光ダクト内に設けられ、前記第１の反射部に対向する第２の反射部とを有し、
前記採光部から採光された太陽光を前記第１の反射部と前記第２の反射部とで反射させて前記窓部へ導光するよう構成されており、
前記壁部は、前記第１の反射部が設けられている領域内に、複数の孔部を有することを特徴とする光ダクト。
【請求項２】
前記壁部は、鉛直方向に対して傾斜している請求項１に記載の光ダクト。
【請求項３】
前記壁部は、外側が凸となるように湾曲している請求項１に記載の光ダクト。
【請求項４】
前記壁部は、複数の段差部を有している請求項１に記載の光ダクト。
【請求項５】
前記段差部は、水平部および鉛直部を有しており、
前記孔部は、前記水平部に形成されている請求項４に記載の光ダクト。
【請求項６】
前記第２の反射部は、前記窓部の周囲に設けられている請求項１ないし５のいずれかに記載の光ダクト。
【請求項７】
前記壁部の両側部側に、前記空間を囲う１対の側壁部が設けられており、前記壁部と、前記採光部と、前記各側壁部とで、筐体を構成している請求項１ないし６のいずれかに記載の光ダクト。
【請求項８】
前記壁部は、吸音層を有する請求項１ないし７のいずれかに記載の光ダクト。
【請求項９】
前記壁部は、断熱層を有する請求項１ないし８のいずれかに記載の光ダクト。
【請求項１０】
前記壁部は、不燃層または難燃層を有する請求項１ないし９のいずれかに記載の光ダクト。
【請求項１１】
前記孔部は、通気可能なものであるか、または、通気不能であるが、光を透過し得るものである請求項１ないし１０のいずれかに記載の光ダクト。
【請求項１２】
前記採光部から採光される太陽光の光量を調整する光量調整手段を有する請求項１ないし１１のいずれかに記載の光ダクト。
【請求項１３】
前記光量調整手段は、前記採光部を開閉可能な蓋である請求項１２に記載の光ダクト。
【請求項１４】
前記蓋は、その開度を調整し得るよう構成されている請求項１３に記載の光ダクト。
【請求項１５】
前記蓋の基端部は、前記採光部の前記外壁から遠位側の端部付近に位置し、
前記蓋は、反射板で構成され、前記採光部に対し、該蓋の基端部を中心にして回動自在に設置されており、
前記蓋を閉じたとき、該蓋の反射面が前記採光部に対面するよう構成されている請求項１３または１４に記載の光ダクト。
【請求項１６】
前記蓋を開いたとき、前記蓋の反射面で反射した太陽光を前記採光部から採光し得るよう構成されている請求項１５に記載の光ダクト。
【請求項１７】
当該光ダクトは、内部に光源を有し、
前記光源から発せられた光が、前記窓部から前記室内へ導入されるよう構成されている請求項１ないし１６のいずれかに記載の光ダクト。
【請求項１８】
前記光源は、前記第２の反射部の近傍に配置されている請求項１７に記載の光ダクト。
【請求項１９】
前記光源で消費される電力を生成するソーラーパネルを有する請求項１７または１８に記載の光ダクト。
【発明の詳細な説明】
【技術分野】
【０００１】
本発明は、光ダクトに関するものである。
【背景技術】
【０００２】
従来、防犯を目的とし、住宅（建築物）の窓部の外側に、面格子が設置されている。この面格子は、複数の縦桟と、複数横とで構成されている（例えば、特許文献１参照）。
【０００３】
しかしながら、従来の面格子は、防犯が目的であり、その他の機能は、有していなかった。例えば、太陽光を採光して窓部から室内へ導入すること等は、できなかった。
【０００４】
【特許文献１】特開２００６−３２８８９１号公報
【発明の開示】
【発明が解決しようとする課題】
【０００５】
本発明の目的は、防犯（面格子の機能）の他に、太陽光を採光して建築物の窓部から室内へ導入し得る等の多機能を有し、かつ邪魔にならない光ダクトを提供することにある。
【課題を解決するための手段】
【０００６】
このような目的は、下記（１）〜（１９）の本発明により達成される。
（１）  建築物の外壁に、前記建築物の窓部を覆うように取り付けられ、前記窓部から前記建築物の室内へ光を導入する光ダクトであって、
前記窓部よりも鉛直方向上側に位置し、前記建築物の外部から太陽光を採光する採光部と、
前記外壁に取り付けられる取付部と、
前記外壁の外側に配置され、前記外壁との間に、その間隙距離が鉛直方向上側に向かって連続的または段階的に漸増する空間を形成する壁部と、
前記壁部の内面に設けられた第１の反射部と、
当該光ダクト内に設けられ、前記第１の反射部に対向する第２の反射部とを有し、
前記採光部から採光された太陽光を前記第１の反射部と前記第２の反射部とで反射させて前記窓部へ導光するよう構成されており、
前記壁部は、前記第１の反射部が設けられている領域内に、複数の孔部を有することを特徴とする光ダクト。
【０００７】
（２）  前記壁部は、鉛直方向に対して傾斜している上記（１）に記載の光ダクト。
（３）  前記壁部は、外側が凸となるように湾曲している上記（１）に記載の光ダクト。
【０００８】
（４）  前記壁部は、複数の段差部を有している上記（１）に記載の光ダクト。
（５）  前記段差部は、水平部および鉛直部を有しており、
前記孔部は、前記水平部に形成されている上記（４）に記載の光ダクト。
【０００９】
（６）  前記第２の反射部は、前記窓部の周囲に設けられている上記（１）ないし（
５）のいずれかに記載の光ダクト。
【００１０】
（７）  前記壁部の両側部側に、前記空間を囲う１対の側壁部が設けられており、前記壁部と、前記採光部と、前記各側壁部とで、筐体を構成している上記（１）ないし（６）のいずれかに記載の光ダクト。
【００１１】
（８）  前記壁部は、吸音層を有する上記（１）ないし（７）のいずれかに記載の光ダクト。
【００１２】
（９）  前記壁部は、断熱層を有する上記（１）ないし（８）のいずれかに記載の光ダクト。
【００１３】
（１０）  前記壁部は、不燃層または難燃層を有する上記（１）ないし（９）のいずれかに記載の光ダクト。
【００１４】
（１１）  前記孔部は、通気可能なものであるか、または、通気不能であるが、光を透過し得るものである上記（１）ないし（１０）のいずれかに記載の光ダクト。
【００１５】
（１２）  前記採光部から採光される太陽光の光量を調整する光量調整手段を有する上記（１）ないし（１１）のいずれかに記載の光ダクト。
【００１６】
（１３）  前記光量調整手段は、前記採光部を開閉可能な蓋である上記（１２）に記載の光ダクト。
【００１７】
（１４）  前記蓋は、その開度を調整し得るよう構成されている上記（１３）に記載の光ダクト。
【００１８】
（１５）  前記蓋の基端部は、前記採光部の前記外壁から遠位側の端部付近に位置し、
前記蓋は、反射板で構成され、前記採光部に対し、該蓋の基端部を中心にして回動自在に設置されており、
前記蓋を閉じたとき、該蓋の反射面が前記採光部に対面するよう構成されている上記（１３）または（１４）に記載の光ダクト。
【００１９】
（１６）  前記蓋を開いたとき、前記蓋の反射面で反射した太陽光を前記採光部から採光し得るよう構成されている上記（１５）に記載の光ダクト。
【００２０】
（１７）  当該光ダクトは、内部に光源を有し、
前記光源から発せられた光が、前記窓部から前記室内へ導入されるよう構成されている上記（１）ないし（１６）のいずれかに記載の光ダクト。
【００２１】
（１８）  前記光源は、前記第２の反射部の近傍に配置されている上記（１７）に記載の光ダクト。
【００２２】
（１９）  前記光源で消費される電力を生成するソーラーパネルを有する上記（１７）または（１８）に記載の光ダクト。
【発明の効果】
【００２３】
本発明によれば、多数の機能を有しており、太陽光を自在に建築物（例えば、住宅等）の室内に取り込むことができる他、下記の効果が得られる。
【００２４】
まず、不本意な第三者（不審者）の窓部からの室内（建築物内）への侵入を防止することができる等、防犯効果が得られる。
【００２５】
また、光ダクト（特に、壁部）が目隠しとて機能し、窓部から室内を見られてしまうのを防止することができる。
【００２６】
また、光ダクトが建築物の外壁に取り付けられた状態（取り付け状態）で、壁部は、外壁との間に、その間隙距離が鉛直方向上側に向かって連続的または段階的に漸増する空間を形成するように配置されるので、壁部と外壁とが平行の場合に比べ、小型化を図ることができる。
【００２７】
また、光ダクトが建築物の１階等、比較的低い位置に取り付けられている場合でも、その光ダクトが邪魔にならない。例えば、光ダクトが隣地との境界付近に位置している場合、その隣地との境界付近を通行する際、光ダクトが邪魔にならず、通行し易い。
【発明を実施するための最良の形態】
【００２８】
以下、本発明の光ダクトを添付図面に示す好適実施形態に基づいて詳細に説明する。
なお、各実施形態では、代表的に、本発明の光ダクトを住宅の外壁に取り付ける場合について説明する。また、各実施形態では、光ダクトを外壁に取り付けた状態で説明する。
【００２９】
＜第１実施形態＞
図１は、本発明の光ダクトの第１実施形態であって、その光ダクトが住宅の外壁に取り付けられた状態を示す（一部は模式に示す）断面図、図２は、図１に示す光ダクトを模式的に示す正面図、図３は、図１に示す光ダクトにおいて、ＬＥＤ光源が点灯している状態を示す（一部は模式に示す）断面図である。
【００３０】
なお、説明の都合上、図１〜図３において、上側を「上」、下側を「下」として説明する。また、図１〜図３中の上下方向が鉛直方向、左右方向および紙面に対して垂直な方向が水平方向である。
【００３１】
図１に示すように、光ダクト１は、住宅（建築物）１０の窓部１０３から室１０１内（居住空間）へ光を導入する（取り込む）装置（建具）である。この光ダクト１は、住宅１０の外壁１０２の外側に配置され、その外壁１０２に、窓部１０３を覆うように、取り付けられている。従って、この光ダクト１は、例えば、住宅１０の外部から窓部１０３を介して不本意な第三者（不審者）が侵入するのを阻止する等の種々の防犯機能も有している。なお、光ダクト１は、図示の構成では、着脱自在に取り付けられているが、取り外しができないようになっていてもよい。
【００３２】
ここで、室１０１は、居間や寝室に限らず、この他、例えば、キッチン、浴室、トイレ等、種々の居住空間であってよい。
【００３３】
また、窓部１０３としては、本実施形態では、開閉（変位）可能なものを用いているが、これに限らず、例えば、開閉しないもの（固定窓）でよく、また、開口でもよい。
【００３４】
開閉可能な窓部１０３としては、例えば、片開き窓、両開き窓、フランス窓、垂直（鉛直）回転窓、水平回転窓等の所定の軸を中心に回動（回転）するもの、上げ下げ窓、引き違い窓等の所定の方向に移動（スライド）するもの、アコーディオン窓、ルーバー窓（ジャロジー）等が挙げられる。
【００３５】
図１および図２に示すように、光ダクト１は、ユニット化されており、住宅１０の外部から太陽光（自然光）を採光する採光部２と、採光部２の鉛直方向下側に位置し、非平行に対向配置された１対の反射板３および４と、反射板３および４の両側部側に配置された１対の側壁部５および６とで構成された筐体を有している。以下、太陽光を、単に、「光」とも言う。なお、図示の構成では、筐体の外形形状は、５面体であるが、これに限らず、筐体は、例えば、さらに、底壁部を有し、その外形形状が６面体であってもよい。
【００３６】
本実施形態では、光ダクト１の内表面、すなわち、反射板３および４の互いの対向面（表面）が、それぞれ反射面（反射部）になっており、採光部２を介して（採光部２から）採光された太陽光が、反射板３と反射板４とで反射して窓部１０３へ導光されるよう構成されている。
【００３７】
この場合、反射板３の内表面（図１中右側の表面）が、第１の反射部である反射面を構成し、その残部が壁部を構成している。なお、第１の反射部と壁部とが、別体であってもよい。
【００３８】
また、反射板４の内表面（図１中左側の表面）が、第２の反射部である反射面を構成し、その残部が壁部を構成している。なお、第２の反射部と壁部とが、別体であってもよく、また、壁部が省略されていてもよい。
【００３９】
また、反射板４は、外壁１０２に取り付けられる取付部を兼ねている。図示の構成では、反射板４がネジ（取付具）８で外壁１０２に固定されている。すなわち、光ダクト１は、ネジ留めにより、外壁１０２に、着脱自在に取り付けられている。なお、光ダクト１の外壁１０２への取り付け（固定）方法は、これに限定されるものではない。
【００４０】
採光部２は、窓部１０３よりも鉛直方向上側に位置しており、この採光部２を介して太陽光が、光ダクト１内に採り入れられる。
【００４１】
採光部２は、本実施形態では、光透過性を有する板体（板状体）（光透過部材）で構成されている。また、採光部２の構成材料としては、例えば、各種ガラスや各種樹脂等を用いることができるが、防火性の観点から、ガラスや、網入りガラスを用いるのが好ましい。また、紫外線を除去する紫外線除去（ＵＶカット）ガラスを用いるのも好ましい。
【００４２】
この採光部２は、採光部２の外壁１０２から遠位（図１中左側）の部位側が下方に位置するように、水平方向に対して傾斜している。これにより、より多くの太陽光を採光することができる。また、雨水等が採光部２上に溜まってしまうのを防止することができる。
【００４３】
なお、採光部２として、例えば、１対のガラス板（例えば、ペアガラス）の間に、角度を調整することができるルーバー（光量調整手段）が設けられているものを用いてもよい。このルーバーでは、その角度と、太陽光の高度との関係で、太陽光が遮光されたり、遮光されなかったりするので、例えば、夏季は、ルーバーにより太陽光が遮光され、冬季は、ルーバーにより太陽光が遮光されずに、採光されるように、ルーバーの角度を調整することができる。
【００４４】
また、採光部２として、例えば、１対のガラス板（例えば、ペアガラス）の間に、角度を調整することができないルーバーが設けられているものを用いてもよい。この場合は、例えば、なるべく、夏は、ルーバーにより太陽光が遮光され、冬は、ルーバーにより太陽光が遮光されずに、採光されるように、ルーバーの角度を設定するのが好ましい。
【００４５】
反射板４は、外壁１０２の外側（図１中左側）に、外壁１０２に沿って配置されている。また、外壁１０２および反射板３は、それぞれ、鉛直方向に延在している。
【００４６】
また、反射板４の窓部１０３に対応する部分には、開口４１が形成されている。すなわち、反射板４は、窓部１０３の周囲に設けられている。
【００４７】
なお、外壁１０２および反射板４は、それぞれ、鉛直方向に延在していなくてもよく、例えば、鉛直方向に対して傾斜していてもよい。また、反射板４は、窓部１０３の鉛直方向上側のみに配置されていてもよい。
【００４８】
反射板（傾斜反射板）３は、外壁１０２および反射板４の外側（図１中左側）に配置され、正面視で（図１中左側から見たとき）、窓部１０３を覆うように設けられている。従って、反射板３は、目隠しとしての機能も有する。
【００４９】
この反射板３は、反射板４（外壁１０２）との間に、外壁１０２との間の間隙距離Ｌ、すなわち、反射板４との間の間隙距離Ｌ０が鉛直方向上側に向かって連続的に漸増する（連続的に、かつ一定の割合で増大する）空間２１が形成されるように、鉛直方向に対して傾斜している（反射板３の上側が下側よりも外側に位置している）。この空間２１は、前述した筐体内の空間、すなわち、前記採光部２、反射板３、４、側壁部５および６で囲われた空間である。
【００５０】
前記反射板３の鉛直方向に対する傾斜角度θは、特に限定されないが、５〜４５°程度であるのが好ましく、１０〜２５°程度であるのがより好ましい。
【００５１】
また、反射板３には、複数の貫通孔（孔部）３１が形成されている。この貫通孔３１は、通気可能で、かつ光を透過し得るものである。この反射板３としては、例えば、パンチングメタル等を用いることができる。
【００５２】
前記反射板３よび４としては、それぞれ、反射率の高い反射面を有するものを用いるのが好ましい。具体的には、反射板３よび４の反射面の反射率は、それぞれ、９５％以上であるのが好ましく、９８％以上であるのがより好ましい。また、反射板３よび４の構成材料（反射面の構成材料）としては、それぞれ、例えば、アルミニウム、アルミニウム系合金、ステンレス鋼等の金属材料を用いることができる。
【００５３】
また、前記反射板３よび４として、それぞれ、例えば、反射型シートを用いてもよい。
なお、本実施形態では、孔部として、反射板３に、貫通孔３１、すなわち、通気可能で、かつ光を透過し得るものが設けられているが、これに限らず、例えば、通気不能であるが、光を透過し得るものが設けられていてもよい。その具体例としては、前記貫通孔３１に、その貫通孔３１に対応する形状の光透過性を有する部材（光透過部材）を設置したもの等が挙げられる。
【００５４】
側壁部５および６は、それぞれ、外側に受光面を有するソーラーパネル（太陽電池）で構成されている。
【００５５】
また、光ダクト１内の所定箇所には、前記ソーラーパネルで生成（発電）された電力（電気エネルギー）を蓄積（充電）する図示しない２次電池（充電部）を有する充電装置が設置されている。
【００５６】
太陽光がソーラーパネルの受光面に照射されると、そのソーラーパネルで光電変換され（電力が生成され）、生成された電力は２次電池に蓄積される。そして、後述するＬＥＤ光源（光源）７への電力の供給は、その２次電池から行なわれる。このように、ソーラーパネルでは、後述するＬＥＤ光源７で消費される電力が生成される。これにより、光ダクト１が環境に優しいものとなる。
【００５７】
なお、側壁部５および６は、それぞれ、前記ソーラーパネルに限らず、例えば、反射板で構成されていてもよく、また、外側にソーラーパネル、内側に反射板を設けてなる積層板で構成されていてもよい。
【００５８】
また、前記採光部２が、透明な（光透過性を有する）ソーラーパネル、すなわち、太陽光を一部透過するソーラーパネルを有していてもよい。この場合、採光部２として、例えば、透明なガラス製または樹脂性の基板（好ましくは、ガラス板）と、透明なソーラーパネルとを組み合わせたもの、具体的には、１対のガラス板の間に、透明なシート状のソーラーパネルを介在させたもの等を用いることができる。
【００５９】
また、光ダクト１は、その内部（内側）に、光源としてＬＥＤ光源７を有している。このＬＥＤ光源７は、反射板４の近傍、すなわち、反射板４の窓部１０３の上側の反射面に設置されている。そして、ＬＥＤ光源７から発せられた光が、窓部１０３から室１０１内へ導入されるよう構成されている。
【００６０】
ＬＥＤ光源７が発する光（照明光）の色、すなわち、ＬＥＤ光源７における発光色は、白色であってもよく、また、例えば、赤色、緑色、青色等の種々のカラー色であってもよいが、白色が好ましい。また、ＬＥＤ光源７は、複数設けられていてもよい。
【００６１】
また、ＬＥＤ光源７を設置する位置は、前記の位置に限らず、例えば、反射板３側であってもよい。
なお、光ダクト１の表面には、防錆材が塗布されていてもよい。
【００６２】
また、反射板３の外側に、網戸、または、網が設置されていてもよい。これにより、反射板３の各貫通孔３１からの光ダクト１内への虫の侵入を防止することができる。
【００６３】
次に、光ダクト１の作用（動作）について説明する。
なお、図１および図３では、それぞれ、判り易くするため、太陽光およびＬＥＤ光源７から発せられた光のうちの所定の主光線のみを図示し、それに基づいて下記の説明を行う。
【００６４】
図１に示すように、太陽光は、採光部２を介して、光ダクト１内に採光される。そして、採光された太陽光は、反射板３および４の少なくとも一方（反射板３のみ、または、反射板３および４）で、１回または複数回（次々と）反射し、窓部１０３に導光され、その窓部１０３から室１０１内に放光（導入）され、室１０１内が照明される。
【００６５】
具体的には、採光部２を介して採光された太陽光は、反射板４で反射し、さらに反射板３で反射し、窓部１０３から室１０１内に放光される。
【００６６】
また、太陽光の室１０１内への取り込みを行わないる場合（または取り込み量を減少させる場合）は、例えば、室１０１内の窓部１０３の近傍に設けられている図示しないブラインドやカーテンを閉じる等の操作を行う。
【００６７】
また、例えば、夜になると、住宅１０の居住者（使用者）は、ＬＥＤ光源７の図示しない電源スイッチをオンする。これにより、図３に示すように、ＬＥＤ光源７が点灯（発光）する。
【００６８】
ＬＥＤ光源７が点灯（発光）すると、そのＬＥＤ光源７から発せられた光は、反射板３で反射し、窓部１０３に導光され、その窓部１０３から室１０１内に放光（導入）され、室１０１内が照明される。この場合、ＬＥＤ光源７は、反射板４側に配置されているため、ＬＥＤ光源７から発せられた光は、反射板３で反射して窓部１０３に導光されるので、間接照明となる。これにより、美的効果や癒し効果（リラクゼーション効果）が得られる。
【００６９】
また、ＬＥＤ光源７から発せられた光は、反射板３の各貫通孔３１から住宅１０の外部に放光される。これにより、住宅１０内に人がいるような感覚を与えることができ、防犯効果が得られる。
【００７０】
また、反射板３の各貫通孔３１を介して、住宅１０の外部と光ダクト１内との間で通気がなされる。これにより、光ダクト１内（空間２１）を換気することができ、これによって、冬季における光ダクト１内の結露を防止することができる。
【００７１】
また、窓部１０３を開くと、その窓部１０３および反射板３の各貫通孔３１を介して、住宅１０の外部と、光ダクト１内と、室１０１内との間で通気がなされる。これにより、室１０１内および光ダクト１内を換気することができる。
【００７２】
以上説明したように、この光ダクト１によれば、面格子の機能を含む多数の機能を有している。
【００７３】
すなわち、まずは、太陽光を自在にその室１０１内（居住空間）に取り込むことができる。
【００７４】
また、不本意な第三者の窓部１０３からの室１０１内（住宅１０内）への侵入を防止することができる等、防犯効果が得られる。
【００７５】
また、光ダクト１の反射板３、さらには側壁部５および６が、目隠しとて機能し、窓部１０３から室１０１内を見られてしまうのを防止することができる。
【００７６】
また、反射板３は、反射板４（外壁１０２）との間に、反射板４との間の間隙距離Ｌ０（外壁１０２との間の間隙距離Ｌ）が鉛直方向上側に向かって連続的に漸増する空間２１が形成されるように、鉛直方向に対して傾斜しているので、反射板と外壁とが平行の場合に比べ、小型化を図ることができる。
【００７７】
また、光ダクト１が住宅１０の１階等、比較的低い位置に取り付けられている場合でも、その光ダクト１が邪魔にならない。例えば、光ダクト１が隣地との境界付近に位置している場合、その隣地との境界付近を通行する際、光ダクト１が邪魔にならず、通行し易い。
【００７８】
なお、本実施形態では、ＬＥＤ光源７から発せられた光が、反射板３の各貫通孔３１から住宅１０の外部に放光されるようになっているが、これに限らず、例えば、ＬＥＤ光源７から発せられた光が、採光部２から住宅１０の外部に放光されるようになっていてもよく、また、反射板３の各貫通孔３１および採光部２の両方から住宅１０の外部に放光されるようになっていてもよい。
【００７９】
＜第２実施形態＞
図４は、本発明の光ダクトの第２実施形態であって、その光ダクトが住宅の外壁に取り付けられた状態を示す（一部は模式に示す）断面図である。
【００８０】
なお、説明の都合上、図４において、上側を「上」、下側を「下」として説明する。また、図４中の上下方向が鉛直方向、左右方向および紙面に対して垂直な方向が水平方向である。
【００８１】
以下、本発明の光ダクトの第２実施形態について説明するが、前述した第１実施形態との相違点を中心に説明し、同様の事項はその説明を省略する。
【００８２】
図４に示すように、第２実施形態の光ダクト１では、壁部および第１の反射面は、外側が凸となるように湾曲した反射板（湾曲反射板）３で構成されている。このため、反射板３と反射板４との間の間隙距離Ｌ０（反射板３と外壁１０２との間の間隙距離Ｌ）の増大する割合（変化率）は、一定ではなく、鉛直方向上側に向かって漸減している。これにより、反射板３で太陽光を集光させることができる（レンズ効果が得られる）。
この光ダクト１によれば、前述した第１実施形態と同様の効果が得られる。
【００８３】
＜第３実施形態＞
図５は、本発明の光ダクトの第３実施形態であって、その光ダクトが住宅の外壁に取り付けられた状態を示す（一部は模式に示す）断面図である。
【００８４】
なお、説明の都合上、図５において、上側を「上」、下側を「下」として説明する。また、図５中の上下方向が鉛直方向、左右方向および紙面に対して垂直な方向が水平方向である。
【００８５】
以下、本発明の光ダクトの第３実施形態について説明するが、前述した第１実施形態との相違点を中心に説明し、同様の事項はその説明を省略する。
【００８６】
図５に示すように、第３実施形態の光ダクト１では、壁部および第１の反射面は、複数の段差部を有する反射板（多段反射板）３で構成されている。このため、反射板３と反射板４との間の間隙距離Ｌ０（反射板３と外壁１０２との間の間隙距離Ｌ）は、鉛直方向上側に向かって段階的に漸増している。
【００８７】
また、貫通孔３１は、反射板３のうちの鉛直な部分である鉛直部３３および傾斜している部分である傾斜部３４には、形成されておらず、水平な部分である水平部３２のみに形成されている。これにより、雨水等が貫通孔３１から光ダクト１内に入ってしまうのを防止することができる。
この光ダクト１によれば、前述した第１実施形態と同様の効果が得られる。
【００８８】
＜第４実施形態＞
図６は、本発明の光ダクトの第４実施形態であって、その光ダクトが住宅の外壁に取り付けられた状態を示す（一部は模式に示す）断面図である。
【００８９】
なお、説明の都合上、図４において、上側を「上」、下側を「下」として説明する。また、図６中の上下方向が鉛直方向、左右方向および紙面に対して垂直な方向が水平方向である。
【００９０】
以下、本発明の光ダクトの第４実施形態について説明するが、前述した第１実施形態との相違点を中心に説明し、同様の事項はその説明を省略する。
【００９１】
図６に示すように、第４実施形態の光ダクト１では、反射板３よび４の反射面は、それぞれ、光が乱反射するように構成されている。すなわち、反射板３よび４の反射面には、それぞれ、複数の微小な凹凸が形成されている。
【００９２】
なお、前記複数の微小な凹凸を有する反射板３よび４としては、特に限定されないが、例えば、下記（１）〜（４）のようなものが挙げられる。
【００９３】
（１）平滑な反射面を有する反射板に対して、機械的な加工を施して複数の微小な凹凸を形成したもの。
【００９４】
（２）基板の表面に、反射面として機能し得る所定の材料（例えば、漆喰等）を塗布することで、複数の微小な凹凸が形成されたもの。
【００９５】
（３）基板の表面に、表面に複数の微小な凹凸が形成されている反射型シートを接合したもの。
【００９６】
（４）表面に複数の微小な凹凸が形成されている基板の表面に、反射膜を形成したもの。
【００９７】
このダクト１によれば、前述した第１実施形態と同様の効果が得られる。
また、本実施形態は、各実施形態に適用することができる。
【００９８】
＜第５実施形態＞
図７は、本発明の光ダクトの第５実施形態であって、その光ダクトが住宅の外壁に取り付けられた状態を示す（一部は模式に示す）断面図である。
【００９９】
なお、説明の都合上、図７において、上側を「上」、下側を「下」として説明する。また、図７中の上下方向が鉛直方向、左右方向および紙面に対して垂直な方向が水平方向である。
【０１００】
以下、本発明の光ダクトの第５実施形態について説明するが、前述した第１実施形態との相違点を中心に説明し、同様の事項はその説明を省略する。
【０１０１】
図７に示すように、第５実施形態の光ダクト１は、採光部２を介して採光される太陽光の光量を調整する光量調整手段として、採光部２の外側に、その採光部２（採光部２の太陽光の採り入れ口）を開閉する蓋９を有している。
【０１０２】
この蓋９は、反射板で構成されており、採光部２に対し、蝶番１１により、その基端部を中心にして回動自在に設置されている。この場合、蓋９の基端部は、採光部２の外壁１０２から遠位側（図７中左側）の端部付近に、蝶番１１を介して設置されている。また、蓋９の向きは、その蓋９を開いたとき、反射面（反射部）９１が外壁１０２側を向くように、すなわち、その蓋９を閉じたとき、反射面９１が採光部２に対面するように、設定されている。
【０１０３】
また、蓋９は、採光部２を外部に露出した状態（開いた状態）と遮光した状態（閉じた状態）とを採り得るとともに、その開度（開き具合）も調整（変更）し得るようになっている。すなわち、蓋９は、図７中の（ａ）に示される閉じた状態と、（ｄ）に示される最も開いた状態との間の任意の位置（状態）で、保持されるようになっている。例えば、蓋９を、（ｃ）に示すように、反射板３の延長上に位置させたり、また、（ｂ）に示すように、（ａ）に示される位置と（ｃ）に示される位置との間に位置させることもできる。
【０１０４】
この蓋９の開度を調整することにより、採光部２を介して採光される太陽光の光量が調整され、これにより、室１０１内へ導入される太陽光の光量が調整される。
【０１０５】
この光ダクト１では、太陽光の室１０１内への取り込みを行わないる場合は、蓋９を閉じる。これにより、採光部２での太陽光の採光はなされない。
【０１０６】
また、太陽光の室１０１内への取り込みを行う場合は、蓋９を開く。この場合、例えば、（ｃ）に示すように、太陽光は、直接、採光部２から採光されるだけでなく、蓋９の反射面９１で反射し、この反射光も採光部２から採光される。これにより、より多くの太陽光を採光することができる。
【０１０７】
そして、（ｂ）に示すように、蓋９の開度を小さくすると、採光部２を介して採光される太陽光の光量が減少し、これにより、室１０１内へ導入される太陽光の光量が減少する。
【０１０８】
逆に、（ｄ）に示すように、蓋９の開度を大きくすると、採光部２を介して採光される太陽光の光量が増大し、これにより、室１０１内へ導入される太陽光の光量が増大する。
【０１０９】
このダクト１によれば、前述した第１実施形態と同様の効果が得られる。
また、本実施形態は、各実施形態に適用することができる。
【０１１０】
なお、光量調整手段は、前記の構成のものには限定されず、この他、例えば、採光部２（採光部２の太陽光の採り入れ口）を開閉するシャッタ等であってもよい。
【０１１１】
＜第６実施形態＞
図８は、本発明の光ダクトの第６実施形態における積層板を示す断面図である。
【０１１２】
なお、説明の都合上、図８において、上側を「上」、下側を「下」として説明する。また、図８中の上下方向が鉛直方向、左右方向および紙面に対して垂直な方向が水平方向である。
【０１１３】
以下、本発明の光ダクトの第６実施形態について説明するが、前述した第１実施形態との相違点を中心に説明し、同様の事項はその説明を省略する。
【０１１４】
図８に示すように、第６実施形態の光ダクト１では、第１実施形態の反射板３に替えて、積層板１２が設けられている。
【０１１５】
積層板１２は、反射板１３、中間層１４および外板１５を積層してなる部材である。すなわち、積層板１２は、光ダクト１の内側に位置する反射板１３と、外側に位置する外板１５と、反射板１３と外板１５との間に設けられた中間層１４とで構成されている。この場合、反射板１３の内表面（図８中右側の表面）が、第１の反射部である反射面を構成し、その残部と、中間層１４および外板１５とで壁部を構成している。
【０１１６】
また、積層板１２には、複数の貫通孔（孔部）１６が形成されている。この貫通孔１６は、第１実施形態における反射板３の貫通孔３１と同様であるので、その説明は省略する。
【０１１７】
また、反射板１３の構成材料としては、例えば、第１実施形態における反射板３と同様のものを用いることができる。
【０１１８】
また、外板１５の構成材料としては、例えば、各種の金属材料等を用いることができる。
【０１１９】
また、中間層１４は、所定の機能を有する層であり、具体的には、例えば、吸音層、断熱層、不燃層、難燃層等が挙げられる。この場合、中間層１４は、これらのうちの２以上の機能を有するよう構成するのが好ましく、特に、吸音層、断熱層および不燃層の全機能、または、吸音層、断熱層および難燃層の全機能を有するよう構成するのがより好ましい。
【０１２０】
この中間層１４の構成材料としては、例えば、フェルト、ウレタンフォーム、グラスウール、ロックウール、セラミックス、石膏ボード、ケイカル板（ケイ酸カルシウム板）等を用いることができる。
【０１２１】
なお、フェルト、ウレタンフォームおよびグラスウールは、それぞれ、吸音材および断熱材として機能する。
【０１２２】
また、ロックウールおよびセラミックスは、それぞれ、吸音材、断熱材および不燃材（または難燃材）として機能する。
【０１２３】
また、石膏ボードおよびケイカル板は、それぞれ、吸音材および不燃材（または難燃材）として機能する。
このダクト１によれば、前述した第１実施形態と同様の効果が得られる。
【０１２４】
そして、この光ダクト１では、積層板１２の中間層１４が、吸音層の場合は、騒音を軽減することができる。従って、窓部１０３側に、例えば、ペアガラスを用いる等の騒音対策（防音対策）を講じる必要がない。
【０１２５】
また、中間層１４が、断熱層の場合は、冬季における結露等を抑制することができる。従って、窓部１０３側に、例えば、ペアガラスを用いる等の断熱対策を講じる必要がない。
【０１２６】
また、中間層１４が、不燃層または難燃層の場合は、防火地域や準防火地域に建築される住宅への設置も可能となる。また、積層板１２の部分が金属材料のみで構成されている場合も比較的高い防火性を有するが、それに比べ、中間層１４により熱の伝導を抑制することができ、防火性が向上する。従って、窓部１０３側に、例えば、シャッタを設けたり、また、網入りガラスを用いる等の防火対策を講じる必要がない。
【０１２７】
また、中間層１４が、前記のうちの２以上の機能を有する場合は、それに対応する前記の効果が得られる。
また、本実施形態は、各実施形態に適用することができる。
【０１２８】
以上、本発明の光ダクトを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１２９】
また、本発明は、前記各実施形態のうちの、任意の２以上の構成（特徴）を組み合わせたものであってもよい。
【０１３０】
また、本発明の光ダクトが取り付けられる建築物としては、住宅に限定されず、例えば、駅やビル等の公共の施設等が挙げられる。
【図面の簡単な説明】
【０１３１】
【図１】本発明の光ダクトの第１実施形態であって、その光ダクトが住宅の外壁に取り付けられた状態を示す（一部は模式に示す）断面図である。
【図２】図１に示す光ダクトを模式的に示す正面図である。
【図３】図１に示す光ダクトにおいて、ＬＥＤ光源が点灯している状態を示す（一部は模式に示す）断面図である。
【図４】本発明の光ダクトの第２実施形態であって、その光ダクトが住宅の外壁に取り付けられた状態を示す（一部は模式に示す）断面図である。
【図５】本発明の光ダクトの第３実施形態であって、その光ダクトが住宅の外壁に取り付けられた状態を示す（一部は模式に示す）断面図である。
【図６】本発明の光ダクトの第４実施形態であって、その光ダクトが住宅の外壁に取り付けられた状態を示す（一部は模式に示す）断面図である。
【図７】本発明の光ダクトの第５実施形態であって、その光ダクトが住宅の外壁に取り付けられた状態を示す（一部は模式に示す）断面図である。
【図８】本発明の光ダクトの第６実施形態における積層板を示す断面図である。
【符号の説明】
【０１３２】
１              光ダクト
２              採光部
３              反射板
３１            貫通孔
３２            水平部
３３            鉛直部
３４            傾斜部
４              反射板
４１            開口
５、６          側壁部
７              ＬＥＤ光源
８              ネジ
９              蓋
９１            反射面
１０            住宅
１０１          室
１０２          外壁
１０３          窓部
１１            蝶番
１２            積層板
１３            反射板
１４            中間層
１５            外板
１６            貫通孔
２１            空間
【要約】
【課題】防犯（面格子の機能）の他に、太陽光を採光して建築物の窓部から室内へ導入し得る等の多機能を有し、かつ邪魔にならない光ダクトを提供する。
【解決手段】光ダクト１は、住宅１０の窓部１０３から室１０１内へ光を導入する装置（建具）であり、外壁１０２に窓部１０３を覆うように取り付けられている。光ダクト１は、窓部１０３よりも鉛直方向上側に位置し、住宅１０の外部から太陽光を採光する採光部２と、採光部２の鉛直方向下側に位置し、非平行に対向配置された１対の反射板３および４と、１対の側壁部とで構成された筐体を有している。反射板３は、反射板４との間に、反射板４との間の間隙距離Ｌ０が鉛直方向上側に向かって連続的に漸増する空間２１が形成されるように、鉛直方向に対して傾斜している。
【選択図】図１【図１】
0004129043.tif 000002
【図２】
0004129043.tif 000003
【図３】
0004129043.tif 000004
【図４】
0004129043.tif 000005
【図５】
0004129043.tif 000006
【図６】
0004129043.tif 000007
【図７】
0004129043.tif 000008
【図８】
0004129043.tif 000009